(57)【要約】【課題】  本願は、高速回転時における機械的強度を確保できる貼り合わせ型の光ディスクを提供する。【解決手段】  本願の光ディスク１０Ｂは、片面に記録面２を有する環状の第１基板１４と、当該記録面２上に貼りあわされる環状の第２基板６と、当該第１及び第２基板１４、６の内周に配置され、スピンドルが挿入される孔４ａを有しかつクランプ領域を形成する環状体１２と、を具備し、前記第１基板１４、第２基板６、及び環状体１２とが一体的に回転する光ディスク１０Ｂであって、前記孔４ａは、当該回転の軸方向に一体的に形成され、前記環状体は前記第１基板の記録面の部分よりも厚く形成されている。【選択図】      図５
2006236413.tif 000002
【特許請求の範囲】
【請求項１】
片面に記録面を有する環状の第１基板と、
当該記録面上に貼りあわされる環状の第２基板と、
当該第１及び第２基板の内周に配置され、スピンドルが挿入される孔部を有しかつクランプ領域を形成する環状体と、
を具備し、前記第１基板、第２基板、及び環状体とが一体的に回転する光ディスクであって、
前記孔部は、当該回転の軸方向に一体的に形成され、前記環状体は前記第１基板の記録面の部分よりも厚いことを特徴とする光ディスク。
【請求項２】
前記環状体は、前記第１基板の内周に前記第１基板の肉厚部として一体的に形成されていることを特徴とする請求項１に記載の光ディスク。
【請求項３】
前記環状体は、当該第１及び第２基板よりも剛性の高い材質であることを特徴とする請求項１に記載の光ディスク。
【請求項４】
当該第２基板は、記録面を有していない基板であるとともに、当該第１基板よりも薄い基板であることを特徴とする請求項１乃至３のいずれかに記載の光ディスク。
【請求項５】
当該第２基板は、第１基板よりも軽量な材質を用いていることを特徴とする請求項１乃至４のいずれかに記載の光ディスク。
【請求項６】
前記第１及び第２基板は、厚さが０．１〜０．６ｍｍであることを特徴とする請求項１乃至５のいずれかに記載の光ディスク。
【請求項７】
請求項１乃至６に記載の光ディスクは、最大１００００ｒｐｍ以上の回転数で記録、または再生する方式の光ディスクであることを特徴とする光ディスク。
【発明の詳細な説明】
【技術分野】
【０００１】
本願は、第１及び第２基板を重ね合わせて一体化した貼り合わせ型の光ディスクに関する。
【背景技術】
【０００２】
光ディスクは、凹凸状の信号ピット列を螺旋状に形成して、当該信号ピット列に音声情報や映像情報などの記録情報を記録する記録面を有するものであり、その一例として、従来からＣＤ（Compact Disc）が存在している。当該光ディスクは、当該記録面に記録された記録情報を記録又は再生するための光ディスク記録再生装置のスピンドルモータにクランプされて使用されるものである。
【０００３】
近年、記録情報を高圧縮してＣＤより更に多量の記録情報を記録するために、２枚の基板を重ね合わせて一体化した光ディスク（例えば、ＤＶＤ（Digital Versatile Disc）−Ｒ、ＤＶＤ−ＲＷなど）が存在している。当該光ディスク５０は、図１に示すように、記録面５１ａを有する環状の第１基板５１と、記録面５１ａを有していない環状の第２基板５２と、を備え、当該第１基板５１上に当該第２基板５２が貼り合わされて円盤状に形成されている。また、第１及び第２基板５１、５２は、それぞれ、外形１２０ｍｍ、中心孔径１５ｍｍ、厚み０．６ｍｍで形成されている。当該光ディスク５０は、一般的な映画、音楽、若しくはデータの記録用ディスクとして用いられている。
【０００４】
一方、現状の一般的な光ディスクは、スピンドルモータの性能と基板の機械的強度から、記録時の回転数の限界が約１００００ｒｐｍといわれている。
【発明の開示】
【発明が解決しようとする課題】
【０００５】
しかしながら、記録の高速化を目的として、近年では当該光ディスクの回転数が高速化されつつあり、例えば、１６倍速で記録を行おうとすると、下記図２に示すように、光ディスクの回転数は１００００ｒｐｍを越える必要がある。
【０００６】
図２は記録速度における回転数と記録位置の関係を示した図である。当該光ディスクが１００００ｒｐｍまで耐えられるものであるとするならば、図２に示すように、例えば、１６倍速で記録を行う場合には、光ディスクの外側５５ｍｍ付近から外側にしか記録できず、記録面を有効活用できていないことがわかる。
【０００７】
一方、光ディスクを高速回転させると、スピンドルモータにクランプされた光ディスクは、その高速回転によって基板の外周縁部が上下に激しく揺れ、これに伴って光ディスクの径方向に引張応力が加わり、当該光ディスクにおける機械的強度の信頼性が低下し、場合によっては、当該光ディスクに、クラックが生じる場合がある。
【０００８】
本願が解決しようとする課題には、上記した問題が一例として挙げられる。
【０００９】
そこで、本願は、高速回転時における機械的強度を確保できる貼り合わせ型の光ディスクを提供することを目的の一例とする。
【課題を解決するための手段】
【００１０】
以下、本願について説明する。なお、本願の理解を容易にするために添付図面の参照符号を括弧書きにて付記するが、それにより本願が図示の形態に限定されるものではない。
【００１１】
請求項１に記載の光ディスク（１０）は、片面に記録面（２）を有する環状の第１基板（４）と、当該記録面上に貼りあわされる環状の第２基板（４）と、当該第１及び第２基板の内周に配置され、スピンドルが挿入される孔部（４ａ）を有しかつクランプ領域を形成する環状体（１２）と、を具備し、前記第１基板、第２基板、及び環状体とが一体的に回転する光ディスクであって、前記孔部は、当該回転の軸方向に一体的に形成され、前記環状体は前記第１基板の記録面の部分よりも厚いことを特徴とする。
【発明を実施するための最良の形態】
【００１２】
以下、図３乃至図７を参照して、本願による光ディスクの各実施形態について説明する。なお、以下に説明する貼り合わせ型の光ディスクは、音声情報、映像情報などの記録情報を記録、または再生可能なＤＶＤをいう。
【００１３】
―第１の実施形態―
図３は第１の実施形態の光ディスクの構成図、図４は第２基板の他の実施形態を示す光ディスクの構成図である。なお、以下の説明では図３の上下左右方向を便宜的に光ディスクの上下左右として表現する。
【００１４】
図示のように、本実施形態の光ディスク１０は、片面に記録面２を有する環状の第１基板４と、当該記録面２上に重ね合わせて配置される環状の第２基板６と、を備えている。当該光ディスク１０は、当該第１基板４と第２基板６とが接着剤などにより重ねて貼り合わされており、円盤状に形成されている。また、当該第１基板４及び第２基板６とは一体的に回転する。
【００１５】
第１基板４は、中央にスピンドルが挿入される孔４ａを有しかつ当該孔４ａの周縁にクランプ領域を形成する環状部８を有している。当該環状部８は、当該第１基板４の内周に肉厚部として一体的に形成されているとともに、第１基板４がスピンドルによって回転される回転の軸方向に一体的に形成されている。また、当該環状部８の下方外周は径方向に延びて形成されており、当該径方向上部表面には、記録面２が形成されている。このように、当該環状部８は、記録面２の部分よりも厚く形成されている。また、当該記録面２には、凹凸状の信号ピット列が螺旋状に形成されている。そして、当該信号ピット列に音声情報や映像情報などの記録情報が担持される。また、第１基板４の材質は、ポリカーボネート樹脂、アクリル樹脂、ポリオレフィン系樹脂などが用いられる。
【００１６】
第２基板６は、中央に孔６ａを有しており、当該孔６ａは、第１基板４の環状部８の外周に嵌合される。また、第２基板６は、記録面２を有していないダミー基板であり、補強体として機能するものである。また、第２基板６の材質は、ポリカーボネート樹脂、アクリル樹脂、ポリオレフィン系樹脂などが用いられる。
【００１７】
また、当該第１及び第２基板４、６は、好適には、０．６ｍｍ厚の基板が用いられるが、当該厚さは、０．１〜０．６ｍｍの範囲であればよい。
【００１８】
さらに、当該光ディスク１０は、好適には、最大１００００ｒｐｍ以上の回転数で記録、または再生する方式の光ディスク記録再生装置で使用される。
【００１９】
このように、光ディスク１０のスピンドルモータとクランプされる第１基板４の孔４ａの近傍（以下、「クランプ領域Ｓ」と称する。）に環状部８を形成して第１基板４の内周側だけ厚くすることで、第１基板４自体に高速回転における引張応力に耐えうる強度をもたせることが可能となる。よって、高速回転によって光ディスクが破損するのを防止できる。また、第１基板４のクランプ領域Ｓを厚くすることによって、光ディスク１０の記録、又は再生時に、当該第１基板４が安定して回転するので、高速回転での安定した記録、又は再生が可能となる。
【００２０】
なお、本実施形態のクランプ領域Ｓ（環状部８）は、本願の環状体として機能し、本実施形態の孔４ａは、本願の孔部として機能する。
【００２１】
また、図４に示すように、光ディスク１０Ａの第２基板６は、第１基板４の厚さより薄くしても構わない。このように第２基板６を薄くできるのは、クランプ領域Ｓに環状部８を形成して第１基板４の内周側を厚くすることにより、当該第１基板４自体に強度をもたせることができたからである。
【００２２】
このようにすれば、光ディスクの重量を軽減でき、光ディスクをより高速回転させることが可能となる。
【００２３】
以上に説明したように、本実施形態の光ディスク１０は、片面に記録面２を有する環状の第１基板４と、当該記録面２上に貼りあわされる環状の第２基板６と、当該第１及び第２基板４、６の内周に配置され、スピンドルが挿入される孔４ａを有しかつクランプ領域を形成する環状部８と、を具備し、前記第１基板４、第２基板６、及び環状部８とが一体的に回転する光ディスク１０であって、前記第１基板４と環状部８とは、一体的に形成され、前記孔４ａは、当該回転の軸方向に一体的に形成され、前記環状部８は前記第１基板４の記録面２の部分よりも厚く形成されている。
【００２４】
このようにすれば、第１基板４自体の強度を向上させ、当該第１基板４自体に高速回転における引張応力に耐えうる強度をもたせることが可能となるので、光ディスク１０が、高速回転されることによって破損するのを防止できる。
【００２５】
―第２の実施形態―
図５は第２の実施形態の光ディスクの構成図、図６は環状体の他の実施形態を示す光ディスクの構成図、図７は環状体のさらに他の実施形態を示す光ディスクの構成図である。なお、以下の説明では図５の上下左右方向を便宜的に光ディスクの上下左右として表現する。また、図５乃至図７において、図３と共通する部分には同一符号を付し、それらの説明は省略する。
【００２６】
図５に示すように、本実施形態の光ディスク１０Ｂは、中央にスピンドルが挿入される孔４ａを有しかつクランプ領域を形成する環状体１２と、当該環状体１２の外周下方に配置される片面に記録面２を有する環状の第１基板１４と、当該環状体１２の外周上方に配置され、当該第１基板１４の記録面２上に重ね合わせて貼着される環状の第２基板６と、を備えている。また、当該孔４ａは、第１基板１４がスピンドルモータによって回転される回転の軸方向に一体的に形成され、環状体１２は、第１基板１４の記録面２の部分よりも厚く形成されている。
【００２７】
光ディスク１０Ｂは、環状の第１基板１４と第２基板６とを接着剤などにより重ねて貼りあわされたものの内周部分に環状体１２の外周部分を嵌合させており、円盤状に形成されている。また、当該第１基板１４、第２基板６、及び環状体１２は一体的に回転する。
【００２８】
当該環状体１２は、第１及び第２基板１４、６よりも剛性を有する材質により形成され、例えば、高剛性樹脂、金属などの材質が用いられる。
【００２９】
なお、本実施形態の孔４ａは、本願の孔部として機能する。
【００３０】
このように、クランプ領域Ｓに剛性を有する環状体１２を配置することで、光ディスク１０Ｂ自体の剛性を高め、光ディスク１０Ｂが高速回転における引張応力に耐えられるようにしている。よって、高速回転によって、当該光ディスク１０Ｂが破損するのを防止できる。また、第１基板１４のクランプ領域Ｓを厚くすることによって、光ディスク１０の記録、又は再生時に、当該第１基板１４が安定して回転するので、高速回転での安定した記録、又は再生が可能となる。
【００３１】
以上に説明したように、本実施形態の光ディスク１０Ｂは、片面に記録面２を有する環状の第１基板１４と、当該記録面２上に貼りあわされる環状の第２基板６と、当該第１及び第２基板１４、６の内周に配置され、スピンドルが挿入される孔４ａを有しかつクランプ領域を形成する環状体１２と、を具備し、前記第１基板１４、第２基板６、及び環状体１２とが一体的に回転する光ディスク１０Ｂであって、前記孔４ａは、当該回転の軸方向に一体的に形成され、前記環状体１２は前記第１基板１４の記録面２の部分よりも厚く形成されている。  
【００３２】
このようにすれば、クランプ領域Ｓの強度が向上し、結果的に光ディスク１０Ｂ自体の強度を向上させ、当該第１基板１４自体に高速回転における引張応力に耐えうる強度をもたせることが可能となるので、光ディスク１０が、高速回転されることによって破損するのを防止できる。
【００３３】
また、環状体１２は、図６に示すように、外周下方が、径方向に突出する凸部１５ａを有する略Ｌ字状に形成されても構わない。このような場合、光ディスク１０Ｃは、当該凸部１５ａの径方向外周に第１基板１４の内周部分を嵌合させ、当該環状体１２の外周上方に第２基板６の内周部分を嵌合させるとともに、当該第２基板６を当該第１基板１４の記録面２の上部表面に重ね合わせて接着剤などにより貼り合わされて形成される。当該第１、及び第２基板１４、６は、ポリカーボネート樹脂、アクリル樹脂、ポリオレフィン系樹脂などの軽量な材質が用いられる。
【００３４】
さらに、環状体１２は、図７に示すように、外周上方が、径方向に突出する凸部１５ｂを有する略逆Ｌ字状に形成されても構わない。このような場合、光ディスク１０Ｄは、当該環状体１２の外周下方に第１基板１４の内周部分を嵌合させ、当該凸部１５ｂの径方向外周に第２基板６の内周部分を嵌合させるとともに、当該第２基板６を当該第１基板１４の記録面２の上部表面に重ね合わせて接着剤などにより張り合わされて形成される。当該第１、及び第２基板１４、６は、ポリカーボネート樹脂、アクリル樹脂、ポリオレフィン系樹脂などの軽量な材質を用いる。
【００３５】
このように、光ディスク１０Ｃ、１０Ｄのクランプ領域Ｓに第１又は第２基板１４、６より強度を有する材質（環状体１２）を配置することでクランプ領域Ｓの強度を向上させ、結果的に光ディスク１０Ｃ、１０Ｄ自体の剛性を高め、当該光ディスク１０Ｃ、１０Ｄが高速回転における引張応力に耐えられるようにしている。よって、高速回転によって、当該光ディスク１０Ｃ、１０Ｄが破損するのを防止できる。また、クランプ領域Ｓの強度が向上した結果、光ディスク自体の剛性が高められたため、第２基板６に軽量な材質を用いることができる。このようにすれば、光ディスク１０Ｃ、１０Ｄの軽量化を図れるとともに、光ディスク１０Ｃ、１０Ｄの回転数の高速化を図れる。
【００３６】
以上に説明したように、本実施形態の光ディスク１０Ｃ、１０Ｄは、当該光ディスク１０Ｃ、１０Ｄのクランプ領域Ｓに第１又は第２基板１４、６より強度を有する材質（環状体１２）を用いるようにしたので、クランプ領域Ｓの強度が向上し、結果的に光ディスク１０Ｃ、１０Ｄ自体に高速回転における引張応力に耐えうる強度をもたせることができるので、当該光ディスクが、高速回転されることによって破損されるのを防止できる。また、クランプ領域Ｓの強度が向上した結果、光ディスク自体の剛性が高められたため、第２基板６に軽量な材質を用いることができる。このようにすれば、光ディスク１０Ｃ、１０Ｄの軽量化を図れるとともに、光ディスク１０Ｃ、１０Ｄの回転数の高速化を図れる。
【００３７】
本願は以上の実施形態に限定されることなく、種々の形態にて実施してよい。各実施形態をそれぞれ組合わせることも可能であり、例えば、第２実施形態において、第１実施形態に示すように、第２基板６を薄型にするようにしても構わない。
【００３８】
また、本願の光ディスクは、第２基板６が、第１基板４、１４のように記録面２を有するようにして、２層記録型の光ディスクにしても構わない。また、再生専用など種々の形態に適用することが可能である。
【図面の簡単な説明】
【００３９】
【図１】従来の光ディスクの構成図である。
【図２】一般的に使用されている光ディスクの記録速度における回転数と記録位置の関係を示した図である。
【図３】第１の実施形態の光ディスクの構成図である。
【図４】第２基板の他の実施形態である。
【図５】第２の実施形態の光ディスクの構成図である。
【図６】環状体の他の実施形態である。
【図７】環状体の他の実施形態である。
【符号の説明】
【００４０】
２  記録面
４、１４  第１基板
４ａ  孔
６  第２基板
８  環状部
１０、１０Ａ、１０Ｂ  光ディスク
【図１】
2006236413.tif 000003
【図２】
2006236413.tif 000004
【図３】
2006236413.tif 000005
【図４】
2006236413.tif 000006
【図５】
2006236413.tif 000007
【図６】
2006236413.tif 000008
【図７】
2006236413.tif 000009